(57)【要約】【課題】施工状態を簡単に確認できるようにして、施工後の点検作業を効率良く、且つ安全に行うことができるアンカーを提供する。【解決手段】アンカー１は、アンカーボルト２の基端部と拡張スリーブ４との間で軸部２３に挿通される拡開部材３を備える。この拡開部材３は、軸部２３の軸方向の押圧力によって拡開する羽根状の拡開部３４を有する。アンカーボルト２は、その基端部が回転することに伴い、軸部２３を回転させてコーンナット５を拡張スリーブ４の内側に進入させることにより拡張部４３を外方向に拡張させると共に、軸部２３の螺入進行に伴ってアンカーボルト２の基端部が拡開部材３を押圧して羽根状の拡開部３４を拡開させる構成である。【選択図】図１
2012026571.tif 000002
【特許請求の範囲】
【請求項１】
雄螺子が形成された軸部を有するアンカーボルトと、
前記軸部の先端部側に設けられ、外径が前記軸部の基端部に向かって漸次縮小するコーン部と、
筒状体の先端部に、縦割り溝によって外方向に拡張するように形成された拡張部を有し、該拡張部の先端部内側に前記コーン部の小径端部を嵌入させた状態で前記軸部に装着される拡張スリーブと、
前記軸部の基端部側に設けられ、前記軸部の外径よりも大径である回転操作部と、
前記軸部に装着される前記拡張スリーブと、前記軸部の基端部側に設けられる前記回転操作部との間で前記軸部に挿通され、前記軸部の軸方向の押圧力によって拡開する羽根状の拡開部を有する拡開部材と、
を備え、
前記回転操作部が回転することに伴い、前記コーン部が前記軸部の基端部方向に移動して前記拡張スリーブの前記拡張部を外方向に拡張させると共に、前記回転操作部が前記軸部の先端部方向に移動して前記拡開部材を押圧し、前記拡開部を拡開させることを特徴とするアンカー。
【請求項２】
雄螺子が形成された軸部を有し、前記軸部の基端部に前記軸部の外径よりも大径に形成された回転操作部を有するアンカーボルトと、
前記軸部に挿通される筒状体の先端部に、縦割り溝によって外方向に拡張するように形成された拡張部を有する拡張スリーブと、
外径が前記軸部の軸方向に沿って漸次縮小し、内側に前記軸部に形成された雄螺子と螺合する貫通螺子孔を有し、小径端部が前記拡張スリーブの先端部に嵌入した状態で前記軸部に装着されるコーンナットと、
前記アンカーボルトの回転操作部と前記拡張スリーブとの間で前記軸部に挿通され、前記軸部の軸方向の押圧力によって拡開する羽根状の拡開部を有する拡開部材と、
を備え、
前記アンカーボルトは、前記回転操作部が回転することに伴い、前記軸部を回転させて前記コーンナットを前記拡張スリーブの内側に進入させることにより前記拡張部を外方向に拡張させると共に、前記軸部の螺入進行に伴って前記回転操作が前記拡開部材を押圧して羽根状の拡開部を拡開させることを特徴とするアンカー。
【請求項３】
前記アンカーボルトの回転操作部の端面には、ボルトを装着するための有底の螺子孔が設けられると共に、前記アンカーボルトの回転操作部の側面には前記螺子孔の底部近傍に連通する貫通孔が設けられており、
前記螺子孔の底部に、ボルト装着に伴って変形する変形材が設けられ、
該変形材は、ボルト装着に伴って変形し、その一部を前記貫通孔から外部に突出させることを特徴とする請求項２に記載のアンカー。
【請求項４】
前記変形材は、着色された油粘土で構成される軟性材であることを特徴とする請求項３に記載のアンカー。
【請求項５】
前記変形材は、前記螺子孔の底部に装着される装着部と、予め略Ｖ字状に折曲された状態に形成され、一端が前記装着部に固定されると共に他端が前記貫通孔に臨んだ位置に配置される可撓部とを有し、
前記可撓部は、ボルト装着に伴って折曲された部分を展開していくことにより、前記貫通孔に臨んで配置された他端を前記貫通孔から外部に突出させることを特徴とする請求項３に記載のアンカー。
【請求項６】
雄螺子が形成された軸部を有し、前記軸部の先端部に外径が前記軸部の基端部に向かって漸次縮小するコーン部を有するアンカーボルトと、
筒状体の先端部に、縦割り溝によって外方向に拡張するように形成された拡張部を有し、該拡張部の先端部内側に前記コーン部の小径端部を嵌入させた状態で前記軸部に装着される拡張スリーブと、
前記軸部の基端部側において前記軸部に形成された雄螺子に螺合するナット部材と、
前記軸部に装着される前記拡張スリーブと、前記軸部の基端部側に設けられる前記ナット部材との間で前記軸部に挿通され、前記軸部の軸方向の押圧力によって拡開する羽根状の拡開部を有する拡開部材と、
を備え、
前記ナット部材が回転することに伴い、前記コーン部が前記軸部の基端部方向に移動して前記拡張スリーブの前記拡張部を外方向に拡張させると共に、前記ナット部材が前記軸部の先端部方向に移動して前記拡開部材を押圧し、前記拡開部を拡開させることを特徴とするアンカー。
【請求項７】
前記拡開部材は、拡開する羽根状の拡開部に、拡開状態を識別可能にする識別用部材をさらに備えることを特徴とする請求項１乃至６のいずれかに記載のアンカー。
【発明の詳細な説明】
【技術分野】
【０００１】
本発明は、コンクリート建築物や構造物など各種躯体に取り付けられるアンカーに関し、特に天井構造物への取り付けに適したアンカーに関する。
【背景技術】
【０００２】
コンクリート建築物などにおいて既設の天井構造物に、空気調和機や照明器具、各種配管などの吊り下げ物を取り付ける場合、その吊り下げ物を支持するためのアンカーが天井構造物に固定される。従来、この種のアンカーとして、例えば特許文献１および２に記載されたものが知られている。
【０００３】
例えば特許文献１のアンカーは、鉄筋の先端部にかしめ一体化され、先端から軸方向に沿って延びる複数本のスリットが設けられた拡張スリーブと、この拡張スリーブの先端部に小径端部が圧入された円錐台状のコーンナットとを備えたものである。このアンカーの施工は、このアンカーをコーンナット側からコンクリート孔に差し込み、コーンナットの先端が孔の底部に当接した状態で鉄筋をハンマーなどで打ち込むことにより行う。この打ち込みにより、コーンナットが拡張スリーブ内に圧入され、この圧入に伴い拡張スリーブの先端部がコーンナットのテーパ面に沿ってコンクリート壁等を削りながら径方向外側に拡張し、アンカーが躯体に固定される。
【０００４】
また特許文献２のアンカーは、コンクリート孔内に圧入固定されるアンカーソケットと、該アンカーソケットの一端部開口から螺入するアンカーボルトとを備えている。アンカーソケットの他端部には、スリットが形成されている。またアンカーボルトの軸部の先端部には、アンカーソケットの他端部の内周面に圧入して該他端部を拡張させるヘッドが一体的に設けられている。このアンカーの施工は、アンカーソケットを他端部からコンクリート孔に先に差し込んでおき、その状態でアンカーボルトをアンカーソケットの一端部開口から螺入していく。アンカーボルトの螺入により、アンカーボルトの先端部に設けられたヘッドがアンカーソケットの他端部を拡張させることにより、アンカーが固定される。
【先行技術文献】
【特許文献】
【０００５】
【特許文献１】特開平１０−２３１５８３号公報
【特許文献２】特開平１０−１１０４７５号公報
【発明の概要】
【発明が解決しようとする課題】
【０００６】
しかしながら、上記特許文献１のようなアンカーは、天井構造物に固定するためのアンカーとしては適さない。なぜなら、特許文献１のアンカーの場合は、天井構造物に吊設される鉄筋と、拡張スリーブの先端部に圧入するコーンナットとが構造上分離されているため、例えば地震などにより天井構造物に大きな振動が作用すると、コーンナットが拡張スリーブの内側から離脱してしまい、鉄筋の先端部に一体化された拡張スリーブが天井構造物から落下する可能性がある。
【０００７】
これに対し、上記特許文献２のようなアンカーは、アンカーボルトに対してアンカーソケットを拡張させるヘッドが一体的に設けられているので、アンカーボルトが抜け落ちることはなく、特許文献１のような問題は生じない。
【０００８】
ところが、特許文献２のようなアンカーを天井構造物に施工する際には、アンカーボルトをアンカーソケットの一端部開口から挿入して回転させていくことが必要であるが、その作業中、ヘッドがアンカーソケットを正常な施工状態まで拡張させているか否かを目視で確認することはできない。特に天井構造物へのアンカーの施工作業では、作業者が階下より延長治具を使用して天井構造物に穿孔を行い、その後別の延長治具を使用してアンカーを孔に挿入して回転させていくこともある。このような施工作業の場合は作業者の視点とアンカーとの距離が大きくなるため、より一層目視による確認は難しくなる。そのため、従来は特許文献２のようなアンカーが強固に固定されているか否かは、アンカーボルトの回転トルクが一定値以上になることを条件として判断せざるを得ないのが一般的であり、作業中にアンカーボルトの回転トルクが一定値以上になれば施工完了としている。
【０００９】
しかし、作業者による回転トルクの管理は、作業者の経験によるところが大きく、アンカーの施工品質にバラツキが生じやすく、しかも施工不良が生じていてもそれを把握することが難しいという問題がある。
【００１０】
また従来は、天井構造物に複数のアンカーが施工された後に、現場責任者により各アンカーの施工状態を点検する作業も行われることがあるが、その際にも多大な手間がかかるという問題もある。すなわち、現場責任者は、施工されたアンカーを１つずつ、トルクレンチなどを用いて回転トルクが一定値以上であるか否かを点検していかなければならず、その作業負担が過大なものとなる。また仮に、現場責任者が天井構造物の高さ位置まで上ってアンカーの施工状態を１つずつ点検していくような場合、学校設備や病院、商業用建造物などのような大規模建造物では天井構造物までの高さが５メートル以上あることも珍しくなく、この点検作業に危険を伴うという問題もある。
【００１１】
そこで本発明は、上記従来の問題点に鑑みてなされたものであり、アンカーの施工状態を簡単に確認できるようにして、施工後の点検作業を効率良く、且つ安全に行えるようにしたアンカーを提供することを目的としている。
【課題を解決するための手段】
【００１２】
上記課題を解決するため、本発明にかかるアンカーは、雄螺子が形成された軸部を有するアンカーボルトと、軸部の先端部側に設けられ、外径がその軸部の基端部に向かって漸次縮小するコーン部と、筒状体の先端部に縦割り溝によって外方向に拡張するように形成された拡張部を有し、該拡張部の先端部内側にコーン部の小径端部を嵌入させた状態で軸部に装着される拡張スリーブと、軸部の基端部側に設けられその軸部の外径よりも大径である回転操作部と、軸部に装着される拡張スリーブと軸部の基端部側に設けられる回転操作部との間で軸部に挿通され、軸部の軸方向の押圧力によって拡開する羽根状の拡開部を有する拡開部材とを備えるものである。そして回転操作部が回転することに伴い、コーン部が軸部の基端部方向に移動して拡張スリーブの拡張部を外方向に拡張させると共に、回転操作部が軸部の先端部方向に移動して拡開部材を押圧し、拡開部を拡開させることを特徴とする構成である。
【００１３】
このような構成によると、アンカーボルトの軸部の先端部側に設けられたコーン部が、回転操作部が回転することに伴って軸部の基端部方向に移動して拡張スリーブの拡張部を外方向に拡張させるので、コーン部が拡張スリーブの内側から離脱することはなく、アンカーボルトが天井構造物から落下することはない。また、アンカーボルトの軸部の基端部側に設けられた回転操作部は、回転することに伴って軸部の先端部方向に移動して拡開部材を押圧し、拡開部を拡開させるので、拡張スリーブの拡張部が外方向に拡張してアンカーが固定されている状態となっているか否かを、羽根状の拡開部の拡開状態によって把握することが可能である。
【００１４】
また本発明にかかるアンカーは、雄螺子が形成された軸部を有し、その軸部の基端部に前記軸部の外径よりも大径に形成された回転操作部を有するアンカーボルトと、軸部に挿通される筒状体の先端部に、縦割り溝によって外方向に拡張するように形成された拡張部を有する拡張スリーブと、外径が軸部の軸方向に沿って漸次縮小し、その内側に、軸部に形成された雄螺子と螺合する貫通螺子孔を有し、小径端部が拡張スリーブの先端部に嵌入した状態で軸部に装着されるコーンナットと、アンカーボルトの回転操作部と拡張スリーブとの間で軸部に挿通され、軸部の軸方向の押圧力によって拡開する羽根状の拡開部を有する拡開部材とを備えるものである。そしてアンカーボルトは、回転操作部が回転することに伴い、軸部を回転させてコーンナットを拡張スリーブの内側に進入させることにより拡張部を外方向に拡張させると共に、軸部の螺入進行に伴って回転操作が拡開部材を押圧して羽根状の拡開部を拡開させることを特徴とする構成である。
【００１５】
このような構成によると、アンカーボルトは回転操作部が回転することにより、軸部を回転させてコーンナットを拡張スリーブの内側に進入させるので、拡張スリーブの拡張部が外方向に拡張し、アンカーを固定することができる。この構成では、コーンナットが軸部に螺合しているので、コーンナットが拡張スリーブの内側から離脱することはなく、アンカーボルトが天井構造物から落下することはない。
【００１６】
また、このような構成でも、アンカーボルトは回転操作部が回転することにより、軸部を螺入進行させるので、それに伴い、基端部が拡開部材を押圧して羽根状の拡開部を拡開させるようになっている。そのため、拡張スリーブの拡張部が外方向に拡張してアンカーが固定されている状態となっているか否かを、羽根状の拡開部の拡開状態によって把握することが可能であり、アンカー施工後は、目視によってその施工状態を点検することができるようになる。特に、羽根状の拡開部の拡開状態は、アンカーの遠くからでも目視により確認することができるようになる。
【００１７】
また、アンカーボルトの回転操作部の端面には、ボルトを装着するための有底の螺子孔を設けると共に、アンカーボルトの回転操作部の側面には螺子孔の底部近傍に連通する貫通孔を設け、その螺子孔の底部に、ボルト装着に伴って変形する変形材を設ける。そしてその変形材は、ボルト装着に伴って変形し、その一部を貫通孔から外部に突出させる構成とすることが好ましい。
【００１８】
このような構成によれば、アンカーボルトの基端部に設けられた螺子孔にボルトが装着された場合、アンカーボルトの基端部の側面に設けられた貫通孔から変形材が出現しているか否かを確認することにより、そのボルトの装着状態を目視で確認できるようになる。
【００１９】
また、上記のような変形材は、着色された油粘土で構成される軟性材を採用しても良い。また、これに限らず、変形材は、螺子孔の底部に装着される装着部と、予め略Ｖ字状に折曲された状態に形成され、一端が装着部に固定されると共に他端が貫通孔に臨んだ位置に配置される可撓部とを有する構成としても良い。この場合、可撓部は、ボルト装着に伴って折曲された部分を展開していくことにより、貫通孔に臨んで配置された他端を貫通孔から外部に突出させる構成とすることが好ましい。
【００２０】
また本発明にかかるアンカーは、雄螺子が形成された軸部を有し、その軸部の先端部に外径が軸部の基端部に向かって漸次縮小するコーン部を有するアンカーボルトと、筒状体の先端部に、縦割り溝によって外方向に拡張するように形成された拡張部を有し、該拡張部の先端部内側にコーン部の小径端部を嵌入させた状態で軸部に装着される拡張スリーブと、軸部の基端部側において軸部に形成された雄螺子に螺合するナット部材と、軸部に装着される拡張スリーブと軸部の基端部側に設けられるナット部材との間で軸部に挿通され、軸部の軸方向の押圧力によって拡開する羽根状の拡開部を有する拡開部材とを備えるものである。そしてナット部材が回転することに伴い、コーン部を軸部の基端部方向に移動させて拡張スリーブの前記拡張部を外方向に拡張させると共に、ナット部材が軸部の先端部方向に移動して拡開部材を押圧し、拡開部を拡開させることを特徴とする構成である。
【００２１】
このような構成によると、ナット部材が回転することにより、アンカーボルトに設けられたコーン部が拡張スリーブの内側に進入し、拡張スリーブの拡張部を外方向に拡張するので、アンカーを固定することができる。この構成においても、コーン部はアンカーボルトに設けられるので、コーン部が拡張スリーブの内側から離脱することはなく、アンカーボルトが天井構造物から落下することはない。
【００２２】
また、このような構成では、ナット部材が回転することにより、そのナット部材が軸部の先端部方向に移動して拡開部材を押圧し、拡開部を拡開させるようになっている。そのため、拡張スリーブの拡張部が外方向に拡張してアンカーが固定されている状態となっているか否かを、羽根状の拡開部の拡開状態によって把握することが可能であり、アンカー施工後は、目視によってその施工状態を点検することができるようになる。特に、羽根状の拡開部の拡開状態は、アンカーの遠くからでも目視により確認することができるようになる。
【００２３】
また上記のような構成において、拡開部材は、拡開する羽根状の拡開部に、拡開状態を識別可能にする識別用部材をさらに備えることが好ましい。この識別用部材は、例えば、赤色や黄色などの所定色に着色された着色塗料を羽根状の拡開部に塗布することにより設けても良い。この場合の着色塗料は、蛍光特性や蓄光特性などを有するものであれば、より好ましい。また、識別用部材は、例えば、光を反射する反射板などを羽根状の拡開部に貼付することにより設けても良い。
【００２４】
このような構成によれば、アンカー施工後に目視によってその施工状態を点検する際、比較的容易に羽根状の拡開部の拡開状態を確認することができるようになる。
【発明の効果】
【００２５】
本発明にかかるアンカーによれば、コーンナットがアンカーボルトの軸部に螺合しているので、アンカーボルトが抜け落ちることはない。そしてアンカー施工時には、軸部の螺入進行に伴ってアンカーボルトの基端部が拡開部材を押圧して羽根状の拡開部を拡開させるので、施工後に拡開部の拡開状態を視認することによりアンカーの施工状態を確認することができる。したがって、アンカーの施工状態を簡単に確認することが可能であり、施工後の点検作業を効率良く、且つ安全に行うことができる。
【図面の簡単な説明】
【００２６】
【図１】第１の実施の形態にかかるアンカーを構成する各部材を組み付けた状態を示す斜視図である。
【図２】アンカーを構成する各部材を分離した状態を示す斜視図である。
【図３】アンカーを構成する各部材を組み付けた状態で示す縦断面図である。
【図４】アンカー施工手順における第１工程の一例を示す図である。
【図５】アンカー施工手順における第２工程の一例を示す図である。
【図６】アンカー施工手順における第３工程の一例を示す図である。
【図７】アンカーに対して連結ボルトを装着する手順の第１工程の一例を示す図である。
【図８】アンカーに対して連結ボルトを装着する手順の第２工程の一例を示す図である。
【図９】第２の実施の形態にかかるアンカーを構成する各部材を分離した状態を示す斜視図である。
【図１０】アンカーの施工手順における第１工程の一例を示す図である。
【図１１】アンカーの施工手順における第２工程の一例を示す図である。
【図１２】第３の実施の形態におけるアンカーボルトのナット部を拡大して示す斜視図である。
【図１３】第３の実施の形態のアンカーに対して連結ボルトを装着する手順の第１工程の一例を示す図である。
【図１４】第３の実施の形態のアンカーに対して連結ボルトを装着する手順の第２工程の一例を示す図である。
【図１５】アンカーを構成する拡開部材の一変形例を示す図である。
【図１６】アンカーボルトの軸部とナット部とを別体とする一構成例を示す図である。
【発明を実施するための形態】
【００２７】
以下、本発明の好ましい実施形態について図面を参照しつつ詳細に説明する。尚、以下において参照する各図面では互いに共通する部材に同一符号を付しており、それらについての重複する説明は省略する。
【００２８】
（第１の実施の形態）
図１は本発明の第１の実施の形態にかかるアンカー１を構成する各部材を組み付けた状態を示す斜視図であり、図２は同アンカー１の各部材を分離した状態を示す斜視図である。また図３は、同アンカー１の各部材を組み付けた状態で示す縦断面図である。
【００２９】
本実施形態におけるアンカー１は、アンカーボルト２と、Ｖ字状の拡開部材３と、拡張スリーブ４と、コーンナット５とを備える構成である。このアンカー１は、コンクリート建築物や構造物など各種躯体に取り付けられるアンカーであり、特に天井構造物への取り付けに適したものである。
【００３０】
アンカーボルト２は、その先端部に雄螺子が形成された所定長さの軸部２３を有している。またアンカーボルト２は、その基端部に軸部２３を回転させるための回転操作部７を有しており、この回転操作部７として、角柱状で所定長さのナット部２１と、円柱状の押圧部２２とが設けられた構成である。このアンカーボルト２において、軸部２３、ナット部２１および押圧部２２は、一体的に形成されており、その軸心は互いに共通したものとなっている。軸部２３はその基端部側で押圧部２２に接続されており、押圧部２２はその基端部側でナット部２１に接続されている。例えば押圧部２２は、切削加工などにより、ナット部２１の先端部の角を削り落としたものとして構成しても良い。このようなアンカーボルト２の回転操作部７は、その外径が軸部２３の外径よりも大径に形成される。そのため、後述するように、軸部２３が孔Ｈに対して螺入進行していくと、回転操作部７が拡開部材３を押圧するようになっている。
【００３１】
またアンカーボルト２の回転操作部７として設けられるナット部２１の内側には、図３に示すように、その下端面に軸部２３と同軸の有底螺子孔２４が設けられている。この螺子孔２４は、吊りボルトや繋ぎボルトなどの連結ボルトを装着して鉄筋やアングル材などを吊り下げ支持するためのものである。アンカーボルト２のナット部２１の側面には、この螺子孔２４の底部近傍に連通する貫通孔２５が設けられている。そして螺子孔２４の底部には、連結ボルトの装着に伴って変形する変形材９が設けられている。本実施形態では、このような変形材９として、螺子孔２４の底部に柔軟性のある軟性材９１が充填されている。この軟性材９１は、例えば赤色などに着色された油粘土で構成される。油粘土は、その油性により防錆剤としての特性を有するため、連結ボルトの劣化を抑制することができるという利点がある。
【００３２】
本実施形態における拡開部材３は、例えば略短冊状の金属平板などの板状体３１を折曲加工したものである。板状体３１には、例えば折曲加工が施される前に、その中央に長孔状若しくは楕円状の挿通孔３２が予め形成されている。そして挿通孔３２の形成された板状体３１を、その両端部からほぼ均等な距離となる位置で所定角度折り曲げることにより、拡開部材３は側面視Ｖ字状に形成される。このようにして拡開部材３は、その中央に折曲部３３を有すると共に、その折曲部３３の両端部側に羽根状の拡開部３４を有するように構成される。
【００３３】
この拡開部材３は、例えば図２に示すように折曲部３３を上部にし、拡開部３４の先端を下方に向けた逆Ｖ字状で、挿通孔３２がアンカーボルト２の軸部２３に挿通される。このとき、一対の拡開部３４の下面側が、アンカーボルト２の押圧部２２の上縁に当接した状態となる。また、この一対の拡開部３４の下面側には、拡開部３４の拡開状態を下方から識別可能にするための識別用部材３６が設けられている。
【００３４】
この識別用部材３６は、例えば赤色や黄色などに着色された着色塗料である。識別用部材３６として着色塗料を用いる場合には、さらに蛍光特性や蓄光特性などを有するものであることが好ましい。また、識別用部材３６は、着色塗料以外のもので構成されても良い。例えば、光を反射する反射板などを識別用部材３６として拡開部３４の下面側に付着させたものであっても良い。
【００３５】
拡張スリーブ４は、アンカーボルト２の軸部２３に挿通される筒状体４１である。この拡張スリーブ４は、筒状体４１の先端部に、複数の縦割り溝４２が設けられ、それら複数の縦割り溝４２によって区切られた部分が外方向に拡張する拡張部４３となっている。本実施形態では、拡張部４３の外側面は平滑な面となっているが、これに限らず、例えば周方向に１本乃至複数本のリブを形成したものであっても構わない。尚、拡張スリーブ４の先端部に設けられる拡張部４３の数は、一般には３つ若しくは４つ程度であるが、５つ以上であっても構わない。このような拡張スリーブ４は、拡張部４３の設けられた先端部がアンカーボルト２の軸部２３の先端部を向くようにして軸部２３に装着される。
【００３６】
コーンナット５は、軸部２３の先端部に設けられるコーン部６を構成する。このコーンナット５は、外径が軸方向に沿って漸次縮小する円錐台状の外形を有し、その周囲側面が滑らかなテーパ面５１となっている。コーンナット５は、その中心内側に軸部２３に形成された雄螺子と螺合する貫通螺子孔５２が形成されており、小径端部が拡張スリーブ４の先端部に嵌入した状態で軸部２３の先端２３ａに装着される。尚、コーンナット５の大径端部は、拡張スリーブ４の外径と同じか、若しくは、それよりも若干小さく形成される。
【００３７】
そして本実施形態では、図１、図２および図３に示すように、アンカーボルト２の軸部２３に対し、軸部２３の先端部側から、逆Ｖ字状にした拡開部材３、拡張スリーブ４およびコーンナット５がこの順に装着された状態でアンカー１が構成されている。このように構成されるアンカー１において、拡開部材３の折曲部３３は、拡張スリーブ４の下端部よりも外側に突出していることが好ましい。それ故、例えば拡開部材３を構成する板状体３１は、その幅が、拡張スリーブ４の直径よりも大きいものを用いることが好ましい。
【００３８】
次に、本実施形態のアンカー１の施工について説明する。図４、図５および図６は、アンカー１の施工手順の一例を示す図である。まず図４に示すように、上記のように構成されるアンカー１の先端部を、天井構造物などの躯体Ｓに穿孔された孔Ｈに挿入する。このとき、孔Ｈの直径は拡張スリーブ４の直径と同程度である。また孔Ｈの深さはアンカーボルト２の軸部２３の長さと同程度若しくはそれ以上である。
【００３９】
アンカー１の先端部を孔Ｈに挿入する際には、拡張スリーブ４の周囲側面が孔Ｈの内壁に接触して摩擦を生じるため、例えばアンカーボルト２の回転操作部７の下面を、ハンマーなどを用いて打ち込む。そして図４に示すように、拡張スリーブ４のほぼ全体が孔Ｈの内側に収まるようにアンカー１の先端部を挿入する。尚、このとき、拡開部材３の上端に位置する折曲部３３は、例えば孔Ｈの周縁部に接触した状態となる。
【００４０】
図４に示すように、アンカー１の先端部を孔Ｈに挿入すると、次にナット部２１にトルクレンチなどを締着ツールを装着し、アンカーボルト２の回転操作部７を、図中矢印Ｒで示す方向に回転させる。尚、このとき、作業者は締着ツールに延長治具を取り付け、床面からの作業を行うことによってアンカーボルト２の回転操作部７を回転操作しても良い。アンカーボルト２は、このような回転操作によって基端部が回転することに伴い、軸部２３を回転させてコーンナット５を拡張スリーブ４の内側に進入させる。つまり、コーンナット５は、その小径端部（下端部）が拡張スリーブ４の先端部に嵌入した状態であり、しかもその拡張スリーブ４が孔Ｈの内壁に接触して回転しないようになっている。それ故、コーンナット５は、軸部２３と供回りすることなく、軸部２３が回転することに伴って拡張スリーブ４の先端部から内側に向かって進入していく。これにより、コーンナット５は、図５に示すように、拡張スリーブ４の拡張部４３を外側に拡張させる。このとき、拡張スリーブ４の拡張部４３は、孔Ｈの内壁を押圧するように径方向外側に拡張するので、この拡張によりアンカー１が孔Ｈに固定される。
【００４１】
またアンカーボルト２は、基端部が回転することに伴い、軸部２３を孔Ｈの奥部に向かって螺入進行させていく。このとき、アンカーボルト２の回転操作部７に設けられた押圧部２２は、拡開部材３の拡開部３４を下方から押圧していくので、図５において矢印Ｆで示すように、羽根状の拡開部３４が互いに離反する方向に拡開する。そして、図６に示すように、羽根状の拡開部３４が所定角度以上に拡開し、拡開部３４の下面側に設けられた識別用部材３６を、下方から視認することができる状態となれば、アンカー１は躯体Ｓに対して良好に固定され、施工が完了する。
【００４２】
尚、図６では軸部２３の先端部が孔Ｈの奥端部には到達していない例を示しているが、軸部２３の先端部が孔Ｈの奥端部に到達した時点で施工完了としても良い。その場合、拡開部材３の拡開部３４はほぼ水平な状態にまで拡開される。また、このとき、拡開部材３は、ワッシャとしても機能するので、孔Ｈの周囲の躯体Ｓを破損させることもない。
【００４３】
このようなアンカー１の施工過程において、アンカーボルト２の回転操作部７が回転操作されると、その初期段階では軸部２３が孔Ｈの奥部に向かって螺入進行することはなく、軸部２３の回転はコーンナット５を拡張スリーブ４の内側に進入させていくように作用する。これにより、コーンナット５が拡張スリーブ４の拡張部４３を拡張させていく。そして拡張部４３を十分に拡張させた状態になると、その後、軸部２３を回転させてもコーンナット５は移動しなくなる。そのため、これ以後の軸部２３の回転は、軸部２３を孔Ｈの奥部に向かって螺入進行させていくように作用する。したがって、本実施形態のアンカー１を用いて施工を行う場合、拡開部材３の拡開部３４が互いに離反する方向に拡開し始めると、既にその時点でアンカー１は固定されていることになる。そして更にアンカーボルト２の基端部を回転させて、羽根状の拡開部３４を所定角度以上拡開させておくことにより、拡開した拡開部３４が良好な施工状態を示す目印となる。
【００４４】
ここで、アンカー１に設けられる拡開部材３は、その厚みを変えることにより、羽根状の拡開部３４が拡開していくときの軸力を管理することができるようになる。例えば、拡開部材３の厚みが大きい場合、拡開部３４を拡開させるためには、軸部２３が螺入進行するときに大きな軸力を作用させる必要がある。一方、拡開部材３の厚みが小さい場合、拡開部３４を拡開させるため必要となる軸力は小さくなる。このように、拡開部材３の厚みが異なると、拡開部３４が拡開するときの回転トルクや軸力が異なるものとなる。そのため、例えば軸部２３の直径に応じて適当な厚みの拡開部材３を設けておくことにより、拡開部３４が拡開した状態になれば、アンカーボルト２の回転トルクや軸力が所定値以上であることを示す目印にもなる。言い換えると、拡開部材３の厚みを予め適当な厚みに設定しておくことにより、拡開部３４の開き具合でアンカーボルト２の締め付け力を確認することも可能になる。尚、このような拡開部材３の厚みとしては、例えば軸部２３の直径に対して０．１倍から０．５倍程度の範囲内のものを用いることが好ましい。
【００４５】
したがって、本実施形態のアンカー１が天井構造物に施工された後、作業者又は現場責任者がそのアンカー１の施工状態を点検する際の手間を著しく軽減することができる。すなわち、作業者や現場責任者は、天井構造物に施工されたアンカー１の拡開部材３が拡開しているか否かを、アンカー１の間近から見なくても良く、床面などのような遠くからの目視によっても確認することができる。これにより、アンカー１の施工状態を簡単に点検することができるので、作業効率が向上する。また、このような点検作業では、天井構造物の高さ位置まで上る必要がないので、安全に作業を進めることができる。
【００４６】
特に本実施形態では、拡開部材３の拡開部３４に識別用部材３６が設けられているので、天井構造物までの高さが比較的高い場合であっても床面から識別用部材３６を視認することが可能であり、拡開部材３が拡開しているか否かを簡単に確認することができるので、点検作業をより一層効率的に、しかも安全に行うことができる。特に、識別用部材３６として、蛍光特性や蓄光特性などを有する着色塗料を用いる場合、或いは、光を反射する反射板などを用いる場合は、拡開部材３が拡開しているか否かを容易に確認することができるという利点がある。
【００４７】
また本実施形態では、ナット部２１の先端部側に設けられた押圧部２２が円柱状であるので、アンカーボルト２の基端部を回転させるとき、ナット部２１の角が拡開部材３に接触することがない。そのため、アンカーボルト２の基端部を回転させるときには、スムーズに回転させることができるようになっている。
【００４８】
次に、上記のようにして躯体Ｓに固定されたアンカー１に対し、吊りボルトや繋ぎボルトなどの連結ボルト６０を装着する場合について説明する。図７および図８は、アンカー１に対して連結ボルト６０を装着する手順の一例を示す図である。図７に示すように連結ボルト６０は、アンカーボルト２の基端部の端面（下面）に設けられた螺子孔２４に挿入装着される。この連結ボルト６０は、アンカー１によって躯体Ｓに吊設されるため、螺子孔２４の底部まで挿入装着される必要があり、螺子孔２４に対する挿入深さが一定の深さに満たない場合は施工不良となる。
【００４９】
本実施形態では、上述したように螺子孔２４の底部に連結ボルト６０の装着に伴って変形する軟性材９１が充填されている。そのため、連結ボルト６０が螺子孔２４に螺入進行することに伴い、連結ボルト６０の先端部が軟性材９１を押圧する。この軟性材９１は、連結ボルト６０からの押圧力を受けて変形し、ナット部２１の側面に設けられた貫通孔２５に進入する。そして更に連結ボルト６０が螺子孔２４の底部に向かって進入することに伴い、軟性材９１は、図８に示すように、貫通孔２５を通ってナット部２１の側面から外側に出現する。そして連結ボルト６０が螺子孔２４の底部に達すると、施工が完了する。このとき、ナット部２１の側面から外側に出現している軟性材９１が良好な連結ボルト６０の施工状態を示す目印となる。
【００５０】
したがって、本実施形態のアンカー１が天井構造物に施工され、そのアンカー１に連結ボルト６０が装着された状態のときには、アンカー１の施工状態だけでなく、連結ボルト６０の装着状態も同時に点検することができるようになる。すなわち、作業者や現場責任者は、天井構造物に施工されたアンカー１の拡開部材３が拡開しているか否かを床面から目視によって確認し、それと同時にナット部２１の側面から軟性材９１が外側に出現しているか否かを床面から目視によって確認することにより、アンカー１の施工状態だけでなく、連結ボルト６０の装着状態を同時に点検することができるので、作業効率がより一層向上する。また、連結ボルト６０を取り付ける作業者も、施工完了を確認することができる。
【００５１】
特に、上述したように軟性材９１として、例えば赤色などに着色された油粘土を用いることにより、ナット部２１の側面から軟性材９１が外側に出現しているか否かの確認が容易になる。つまり、軟性材９１として粘土質のものを用いれば、ナット部２１の側面に出現した軟性材９１が床面に落下することはなく、そのままナット部２１の側面に付着した状態を保持するので連結ボルト６０の装着状態を個別に点検していくことが容易である。また軟性材９１として油粘土を用いれば、上述したように防錆剤としての作用により連結ボルト６０の劣化を抑制することもできる。
【００５２】
このように本実施形態のアンカー１は、アンカーボルト２の基端部に設けられた回転操作部７が回転することに伴い、アンカーボルト２の先端部に設けられたコーンナット５が軸部２３の基端部方向に移動していき拡張スリーブ４の拡張部４３を外方向に拡張させていく構成である。このような構成は、コーンナット５が軸部２３に螺合しているため、振動などが発生しても拡張スリーブ４の内側から離脱することはなく、天井構造物に対して強固に固定可能である。
【００５３】
またアンカー１は、回転操作部７が回転することに伴い、回転操作部７が軸部２３の先端部方向に移動していくことによって拡開部材３を押圧し、拡開部３４を拡開させる構成である。すなわち、本実施形態のアンカー１は、アンカーボルト２の回転操作部７が回転することに伴い、軸部２３を回転させてコーンナット５を拡張スリーブ４の内側に進入させることにより拡張部４３を外方向に拡張させると共に、軸部２３の螺入進行に伴ってアンカーボルト２の回転操作部７が拡開部材３を押圧して羽根状の拡開部３４を拡開させるように構成される。そのため、アンカー１が天井構造物などの躯体Ｓに対して良好に固定されると、羽根状の拡開部３４が拡開した状態になるので、アンカー１の施工状態を簡単に確認することができるようになり、施工後の点検作業を効率良く、且つ安全に行うことができる。
【００５４】
またアンカーボルト２の基端部に設けられたナット部２１の端面には、連結ボルト６０を装着するための有底の螺子孔２４が設けられると共に、アンカーボルト２のナット部２１の側面にはその螺子孔２４の底部近傍に連通する貫通孔２５が設けられており、螺子孔２４の底部に、連結ボルト６０の装着に伴って変形する軟性材９１が充填された構成である。そのため、天井構造物などの躯体Ｓに固定されたアンカー１に連結ボルト６０が良好な状態で装着されると、軟性材９１がアンカーボルト２のナット部２１の側面に出現するので、アンカー１に装着する連結ボルト６０の装着状態も簡単に確認することができるようになり、この点においても施工後の点検作業を効率良く、且つ安全に行うことができるという利点がある。
【００５５】
（第２の実施の形態）
次に第２の実施の形態について説明する。図９は本発明の第２の実施の形態にかかるアンカー１ａを構成する各部材を分離した状態を示す斜視図である。本実施形態におけるアンカー１ａは、図９に示すように、アンカーボルト２と、Ｖ字状の拡開部材３と、拡張スリーブ４と、ナット部材２７とを備える構成である。このアンカー１ａも上記と同様、コンクリート建築物や構造物など各種躯体に取り付けられるアンカーであり、特に天井構造物への取り付けに適したものとなっている。ここで本実施形態のアンカー１ａが、第１の実施の形態のアンカー１と異なる点は、アンカーボルト２および回転操作部７の構成であり、拡開部材３および拡張スリーブ４は第１の実施の形態と同様である。以下、本実施形態が第１の実施の形態と異なる点について説明する。
【００５６】
本実施形態のアンカーボルト２は、雄螺子が形成された軸部２３を有し、その軸部２３の先端部にコーン部６が一体的に設けられた構成である。コーン部６は、その外径が軸部２３の基端部に向かって漸次縮小する円錐台状の外形を有し、その周囲側面が滑らかなテーパ面５１となっている。そしてコーン部６の小径端部において軸部２３に連結されており、軸部２３およびコーン部６から成るアンカーボルト２が構成されている。尚、図例では、軸部２３の下部に雄螺子に形成された場合を示しているが、軸部２３の全体に亘って雄螺子が形成されていても良い。
【００５７】
また本実施形態の回転操作部７は、アンカーボルト２の軸部２３に螺合する螺子孔２６を有するナット部材２７により構成される。このナット部材２７は、アンカーボルト２の基端部（下部）側において軸部２３に装着される。
【００５８】
そして本実施形態では、図９に示すように、アンカーボルト２の軸部２３に対し、軸部２３の基端部側から、拡張スリーブ４、逆Ｖ字状にした拡開部材３およびナット部材２７がこの順に装着された状態でアンカー１ａが構成されている。つまり、本実施形態でも、第１の実施の形態と同様に、アンカーボルト２の先端部にコーン部６が設けられ、基端部に回転操作部７が設けられている。そして拡張スリーブ４は、拡張部４３の先端部内側にコーン部６の小径端部を嵌入させた状態で軸部２３に装着され、拡開部材３は、軸部２３に装着される拡張スリーブ４と、軸部２３の基端部側に設けられる回転操作部７（ナット部材２７）との間で軸部２３に挿通された状態となる。
【００５９】
次に、本実施形態のアンカー１ａの施工について説明する。図１０および図１１は、アンカー１ａの施工手順の一例を示す図である。まず図１０に示すように、上記のように構成されるアンカー１ａの先端部を、第１の実施の形態と同様にして、天井構造物などの躯体Ｓに穿孔された孔Ｈに挿入する。
【００６０】
図１０に示すように、アンカー１の先端部を孔Ｈに挿入すると、次にナット部材２７にトルクレンチなどを締着ツールを装着し、アンカーボルト２に装着されたナット部材２７、図中矢印Ｒで示す方向に回転させる。これにより、ナット部材２７は、軸部２３に形成された雄螺子に沿って軸部２３の先端部側に螺合進行していく。そしてナット部材２７が拡開部材３に接触するようになると、ナット部材２７は、拡開部材３の拡開部３４に対して押圧力を作用させると共に、軸部２３に対して下向きの軸力を作用させるようになる。そのため、拡開部材３の拡開部３４が互いに離反する方向に拡開していくと共に、軸部２３が下方に移動してコーン部６が拡張スリーブ４の先端部から内側に進入していく。これにより、コーン部６は、図１１に示すように、拡張スリーブ４の拡張部４３を外側に拡張させる。このとき、拡張スリーブ４の拡張部４３は、孔Ｈの内壁を押圧するように径方向外側に拡張するので、この拡張によりアンカー１ａが孔Ｈに固定される。
【００６１】
またナット部材２７は、軸部２３に沿って螺合進行していくことにより、その上端部が拡開部材３の拡開部３４を下方から押圧していくので、羽根状の拡開部３４が互いに離反する方向に拡開する。そして、図１１に示すように、羽根状の拡開部３４が所定角度以上に拡開し、拡開部３４の下面側に設けられた識別用部材３６を、下方から視認することができる状態となれば、アンカー１ａは躯体Ｓに対して良好に固定され、施工が完了する。
【００６２】
このように本実施形態のアンカー１ａもまた、アンカーボルト２の基端部に設けられた回転操作部７（ナット部材２７）が回転することに伴い、アンカーボルト２の先端部に設けられたコーン部６が軸部２３の基端部方向に移動していき拡張スリーブ４の拡張部４３を外方向に拡張させていく構成である。したがって、振動などが発生しても拡張スリーブ４の内側から離脱することはなく、天井構造物に対して強固に固定可能である。
【００６３】
また本実施形態のアンカー１ａもまた、回転操作部７（ナット部材２７）が回転することに伴い、回転操作部７が軸部２３の先端部方向に移動していくことによって拡開部材３を押圧し、拡開部３４を拡開させる構成である。すなわち、本実施形態のアンカー１ａは、ナット部材２７が回転することに伴い、コーン部６が軸部２３の基端部方向に移動して拡張スリーブ４の拡張部４３を外方向に拡張させると共に、ナット部材２７が軸部２３の先端部方向に移動して拡開部材３を押圧し、拡開部３４を拡開させる構成である。そのため、本実施形態においても、上述した第１の実施の形態と同様に、アンカー１ａが天井構造物などの躯体Ｓに対して良好に固定されると、羽根状の拡開部３４が拡開した状態になるので、アンカー１ａの施工状態を簡単に確認することができるようになり、施工後の点検作業を効率良く、且つ安全に行うことができる。
【００６４】
（第３の実施の形態）
次に第３の実施の形態について説明する。この第３の実施の形態におけるアンカーの主たる構成は、第１の実施の形態で説明したアンカー１とほぼ同様である。本実施形態におおけるアンカー１が第１の実施の形態と異なる点は、アンカーボルト２の螺子孔２４の底部に設けられる変形材９である。
【００６５】
図１２は、本実施形態におけるアンカーボルト２のナット部２１を拡大して示す斜視図である。このナット部２１の下端面には、上述したように、有底の螺子孔２４が設けられている。また、アンカーボルト２のナット部２１の側面には、この螺子孔２４の底部近傍に連通する貫通孔２５が設けられている。そして図１２に示すように、この螺子孔２４の底部には、ポリプロピレンなどの可撓性のある樹脂で成型された部品９２が装着される。
【００６６】
この部品９２は、円盤状に形成される装着部９３と、その装着部９３の下部周縁部に接続された状態で支持される可撓部９４とを有している。装着部９３は、螺子孔２４の内径とほぼ同径若しくはそれよりも若干小径に形成され、螺子孔２４の下端に設けられた開口部から挿入されて螺子孔２４の底部に装着される。可撓部９４は、一端が装着部９３に固定されており、その中央で略Ｖ字状に折り曲げられた形状を有している。この可撓部９４の他端側の先端部９４ａは、装着部９３の周縁部よりも若干外側に突き出した状態となるように予め形成される。
【００６７】
このような部品９２は、図１２に示すように螺子孔２４の開口部から挿入装着されるとき、装着部９３を螺子孔２４の底部に向けた状態で挿入装着される。また可撓部９４は、その中央の折り曲げ角度を若干小さくした状態に圧縮された状態で挿入される。そして装着部９３が螺子孔２４の底部まで押し込まれることにより、部品９２が装着される。またこのとき、可撓部９４の先端部９４ａは、螺子孔２４の内側で貫通孔２５に臨んだ位置に配置される。したがって、部品９２が、螺子孔２４の底部に装着されると、可撓部９４の先端部９４ａが螺子孔２４の内側で貫通孔２５に若干進入した状態となる。そして圧縮されていた可撓部９４が元の略Ｖ字状の形状に復元する力により、可撓部９４はその両端で螺子孔２４の内壁を押圧する。これにより、部品９２は、螺子孔２４の底部で保持されるようになり、螺子孔２４から落下してしまうことが防止される。
【００６８】
図１３および図１４は、本実施形態のアンカー１が天井構造物などの躯体Ｓに固定された状態で連結ボルト６０を装着する手順の一例を示す図である。尚、本実施形態におけるアンカー１の躯体Ｓに対する施工は、第１の実施の形態で説明した手順と同様の手順で行われる。そのような施工作業が行われるとき、仮にアンカーボルト２に振動などが作用したとしても、螺子孔２４の底部に設けられている部品９２は、上述したように螺子孔２４の底部で保持されているため、螺子孔２４から落下することはない。また、連結ボルト６０が螺子孔２４に装着される前の状態では、図１３に示すように、部品９２を構成する可撓部９４の先端部９４ａが螺子孔２４の内側の貫通孔２５に臨んだ状態となっている。
【００６９】
アンカー１が躯体Ｓに固定された後、図１３に示すように、連結ボルト６０は、アンカーボルト２の基端部の端面（下面）に設けられた螺子孔２４に挿入装着される。この連結ボルト６０が螺子孔２４に螺入進行することに伴い、連結ボルト６０の先端部が可撓部９４の略Ｖ字状に折れ曲がった部分を押圧する。これにより、可撓部９４は、連結ボルト６０からの押圧力を受けて次第に扁平していく。そして可撓部９４の先端部９４ａが、ナット部２１の側面に設けられた貫通孔２５に内側に更に進入していく。
【００７０】
そして連結ボルト６０が螺子孔２４の底部に向かって更に螺入することに伴い、可撓部９４の先端部９４ａは、図１４に示すように、貫通孔２５を通ってナット部２１の側面から外側に出現する。そして連結ボルト６０が螺子孔２４の底部に達すると、施工が完了する。このとき、ナット部２１の側面から外側に出現している可撓部９４の先端部９４ａが良好な連結ボルト６０の施工状態を示す目印となる。
【００７１】
したがって、本実施形態のアンカー１が天井構造物に施工され、そのアンカー１に連結ボルト６０が装着された状態のときには、第１の実施の形態と同様に、アンカー１の施工状態だけでなく、連結ボルト６０の装着状態も同時に点検することができるようになる。
【００７２】
このように本実施形態では、アンカーボルト２の螺子孔２４に連結ボルト６０が装着されると、それに伴い、部品９２の可撓部９４がナット部２１の側面から外側に突出する。このような可撓部９４は、螺子孔２４の底部に装着される装着部９３と連結されているため、連結ボルト６０の施工完了後に、ナット部２１の側面から離脱してしまうことがない。
【００７３】
例えば、上述した第１の実施の形態のように変形材９を油粘土などの軟性材９１で構成した場合、連結ボルト６０の施工完了に伴ってナット部２１の側面から突出する軟性材９１は、作業者の不注意によってその突出した部分がもぎ取られてしまう可能性がある。仮にそのような事態が発生してしまうと、第１の実施の形態では、連結ボルト６０が良好な施工状態となっているか否かを確認することができなくなる。
【００７４】
これに対し、本実施形態では、ナット部２１の側面に突出した状態となる可撓部９４は、上述したようにナット部２１の側面から離脱しない構成となっているため、連結ボルト６０が良好な施工状態となっているか否かを常に正確に確認することができるという利点がある。尚、このような部品９２としては、例えば赤色などの所定の色に着色されたものを用いることが好ましい。また、このような部品９２は、樹脂製であることに限られない。
【００７５】
（変形例）
尚、上述したアンカー１，１ａは、本発明にかかるアンカーの一実施形態であり、その具体的構成は、本発明の趣旨を逸脱しない範囲で適宜変更可能である。以下、その変形例について説明する。
【００７６】
上述したアンカー１，１ａは、天井構造物に対して固定するアンカーに特に適したものとなっているが、その用途は必ずしも天井構造物への固定に限られない。
【００７７】
また上述した実施形態では、拡開部材３の拡開部３４の先端を下方に向けて軸部２３に挿通する場合を例示したが、例えば拡開部３４の先端を上方に向けた場合でも回転操作部７が拡開部材３を良好に押圧して拡開部３４を適切に拡開させることが可能であれば、そのような挿通の仕方であっても構わない。例えば、拡開部３４の先端を上方に向けると、その先端は天井構造物の孔Ｈの周囲と接触するため、躯体Ｓの表面が滑らかであり、かつ、一定の強度を有していることが好ましい。これに対し、躯体Ｓの表面が粗い場合、又は、脆い場合に、拡開部３４の先端を上方に向けてしまうと、拡開部３４が正常に拡開しなかったり、或いは、孔Ｈの周囲の表面を破損してしまったりする可能性がある。そのため、躯体Ｓの表面がどのような状態であっても適切に拡開部３４を拡開させるという点では、上述した実施形態のように、拡開部材３の拡開部３４の先端を下方に向けて軸部２３に挿通した状態（すなわち、逆Ｖ字状）に設けることが、より好ましい。
【００７８】
また上述した実施形態では、拡開部材３として、略短冊状の金属平板などの板状体３１をＶ字状に折曲加工したものである場合を例示したが、これに限られない。例えば図１５に示すように、拡開部材３は、十字状の板状体７１を折曲加工したものであっても良い。すなわち、図１５に示す拡開部材３は、十字状の板状体７１の中央平板に軸部２３を挿通するための孔７２を設け、その中央平板から四方に突出する羽根状の部分を所定角度折曲加工することにより、４つの拡開部７３を設けたものである。このような拡開部材３であっても、上述したように軸部２３の螺入進行に伴ってアンカーボルト２の基端部が拡開部材３を押圧して羽根状の拡開部７３を拡開させるので、上記と同様の作用効果を発揮する。特に図１５に示す拡開部材３の場合は、羽根状の拡開部７３が四方に拡開するので、施工後に羽根状の拡開部７３の拡開状態を点検する際に死角が少なくなるという利点もある。
【００７９】
また図１５に示す拡開部材３は、拡開部７３の先端を下方に向けて軸部２３に挿通する場合を例示しているが、これについても上記と同様であり、例えば拡開部７３の先端を上方に向けた場合でもアンカーボルト２の螺入進行に伴って拡開部７３が適切に拡開するのであれば、そのような挿通の仕方であっても構わない。ただし、躯体Ｓの表面がどのような状態であっても適切に拡開部７３を拡開させるという点では、図１５に示す如く、拡開部材３の拡開部７３の先端を下方に向けて軸部２３に挿通した状態に設けることが、より好ましい。
【００８０】
また本発明における拡開部材３は、アンカーボルト２の基端部と拡張スリーブ４との間で軸部２３に挿通され、その軸部２３の軸方向の押圧力によって拡開する羽根状の拡開部３４，７３を有していれば良く、必ずしも上述したように折曲加工で形成されるものに限られない。
【００８１】
また上述した実施形態では、拡開部材３の拡開部３４，７３の下面側の一部に識別用部材３６が設けられる場合を例示しているが、識別用部材３６は、拡開部３４，７３の下面側の全体に設けられていても良い。
【００８２】
また上述した第１の実施の形態では、アンカーボルト２の基端部に設けられる回転操作部７に、ナット部２１と、円柱状の押圧部２２とを形成する場合を例示したが、円柱状の押圧部２２はアンカーボルト２の基端部において特に必須のものではない。したがって、アンカーボルト２の基端部にはナット部２１のみが設けられたものであっても良い。この場合、ナット部２１の先端部が押圧部として機能する。また、アンカーボルト２の基端部と、拡開部材３との間にワッシャを設け、そのワッシャを押圧部として機能させるようにしても良い。
【００８３】
また上述した第１および第３の実施の形態では、アンカーボルト２の軸部２３とナット部２１とが一体的に形成される場合を例示したが、これに限られるものでもない。図１６は、アンカーボルト２の軸部２３とナット部２１とを別体とする一構成例を示す図である。図１６（ａ）に示す例では、軸部２３と、ナット部２１とがそれぞれ別体で構成されている。軸部２３は、その下方所定位置にフランジ２３ｂを有し、そのフランジ２３ｂよりも更に下方側に所定長さの雄螺子部２３ｃが設けられている。またナット部２１に設けられる螺子孔２４は、その内側を軸方向（上下方向）に貫通するように設けられる。また、ナット部２１の側面には、上述した貫通孔２５が設けられ、この貫通孔２５はナット部２１の内側の螺子孔２４に貫通する。
【００８４】
そして図１６（ａ）に示すように、軸部２３の下部に設けられた雄螺子部２３ｃをナット部２４の螺子孔２４に装着する。雄螺子部２３ｃを螺子孔２４に対して螺入進行させていくと、やがて軸部２３のフランジ２３ｂがナット部２１の端面に接触した状態となり、軸部２３とナット部２１とが互いに固定される。これにより、図１６（ｂ）に示すように、軸部２３とナット部２１とが一体化されたアンカーボルト２が構成される。このようにしてアンカーボルト２が構成されると、軸部２３に設けられたフランジ２３ｂが上述した押圧部２２として機能するようになる。
【００８５】
また、上記のようにして軸部２３とナット部２１とが互いに組み付けられると、軸部２３の雄螺子部２３ｃの先端部２３ｄは、ナット部２１の内側に設けられた螺子孔２４の所定位置にセットされる。そして雄螺子部２３ｃの先端部２３ｄが、その螺子孔２４の底部として機能するようになる。すなわち、軸部２３とナット部２１とが一体化されたアンカーボルト２に対し、上述した連結ボルト６０が装着されるときには、雄螺子部２３ｃの先端部２３ｄが、螺子孔２４の底部となる。そのため、第１および第３の実施の形態で説明したように、連結ボルト６０が螺子孔２４に挿入されると、それに伴い、連結ボルト６０の先端部と、螺子孔２４の底部との間で変形材９が変形し、その変形材９の一部が貫通孔２５からナット部２１の外側に突出するようになる。
【符号の説明】
【００８６】
Ｓ  躯体
Ｈ  孔
１，１ａ  アンカー
２  アンカーボルト
３  拡開部材
４  拡張スリーブ
５  コーンナット（コーン部）
６  コーン部
７  回転操作部
９  変形材
２１  ナット部（回転操作部）
２３  軸部
２４  螺子孔
２５  貫通孔
２７  ナット部材（回転操作部）
３４  拡開部
３６  識別用部材
４３  拡張部
７３  拡開部
９１  軟性材
９２  部品
【図１】
2012026571.tif 000003
【図２】
2012026571.tif 000004
【図３】
2012026571.tif 000005
【図４】
2012026571.tif 000006
【図５】
2012026571.tif 000007
【図６】
2012026571.tif 000008
【図７】
2012026571.tif 000009
【図８】
2012026571.tif 000010
【図９】
2012026571.tif 000011
【図１０】
2012026571.tif 000012
【図１１】
2012026571.tif 000013
【図１２】
2012026571.tif 000014
【図１３】
2012026571.tif 000015
【図１４】
2012026571.tif 000016
【図１５】
2012026571.tif 000017
【図１６】
2012026571.tif 000018